(57)【要約】  一例の長尺のエレベータ荷重支持部材が、その長さに沿って延在する複数の引張要素を含む。引張要素を横切る複数の織物繊維が引張要素とともに織り込まれて、それらの織物繊維が、複数の引張要素の互いに関する所望の間隔および配列を維持する。織物繊維は、引張要素を少なくとも部分的に被覆する。その織物繊維は露出して、荷重支持部材の外側の牽引面を構築する。
2013542897.tif 000002
【特許請求の範囲】
【請求項１】
トラクションエレベータ装置の長尺のエレベータ荷重支持部材であって、
前記荷重支持部材の長さに沿って延在する複数の引張要素と、
前記引張要素を横切るとともに該引張要素に織り込まれた複数の織物繊維と、
を備え、
前記織物繊維が、前記複数の引張要素の互いに関する所望の間隔および配列を維持するとともに、前記引張要素を少なくとも部分的に被覆して、この織物繊維が露出され、前記荷重支持部材の外側の牽引面を構築する、長尺のエレベータ荷重支持部材。
【請求項２】
前記織物繊維は、前記牽引面が係合するコンポーネントに前記引張要素が接触するのを防ぐように十分な厚さを有することを特徴とする請求項１に記載の長尺のエレベータ荷重支持部材。
【請求項３】
前記織物繊維は、それらの繊維の間に所定の間隔を備え、かつ、前記牽引面が係合するコンポーネントに前記引張要素が接触するのを防ぐように、前記複数の引張要素に亘って十分な被覆表面積を構築するパターンに配置されることを特徴とする請求項１に記載の長尺のエレベータ荷重支持部材。
【請求項４】
前記引張要素が第１の材料を備え、前記織物繊維が第２の異なる材料を備えることを特徴とする請求項１に記載の長尺のエレベータ荷重支持部材。
【請求項５】
前記引張要素が金属を備え、前記織物繊維が非金属であることを特徴とする請求項４に記載の長尺のエレベータ荷重支持部材。
【請求項６】
前記織物繊維が、撚り糸およびのり剤を備えることを特徴とする請求項１に記載の長尺のエレベータ荷重支持部材。
【請求項７】
前記織物繊維が、エラストマ材料に含浸された撚り糸を備えることを特徴とする請求項１に記載の長尺のエレベータ荷重支持部材。
【請求項８】
前記引張要素が、少なくとも部分的に接着剤コーティングで被覆され、前記織物繊維が前記接着剤コーティングと接触することを特徴とする請求項１に記載の長尺のエレベータ荷重支持部材。
【請求項９】
前記引張要素が、少なくとも部分的にエラストマ材料で被覆されることを特徴とする請求項１に記載の長尺のエレベータ荷重支持部材。
【請求項１０】
前記織物繊維が第１の外径寸法を有し、前記引張要素が第２のより大きい外径寸法を有することを特徴とする請求項１に記載の長尺のエレベータ荷重支持部材。
【請求項１１】
トラクションエレベータ装置の長尺のエレベータ荷重支持部材の製造方法であって、
複数の引張要素を用意し、
前記引張要素に複数の織物繊維を織り込み、それにより、
（ｉ）前記複数の引張要素の互いに関する所望の間隔および配列を維持し、
（ｉｉ）前記引張要素を少なくとも部分的に被覆し、
（ｉｉｉ）前記複数の織物繊維の露出部分を備えた前記荷重支持部材の外側の牽引面を構築する、
ステップを備えた長尺のエレベータ荷重支持部材の製造方法。
【請求項１２】
前記引張要素を、前記織物繊維により、前記牽引面が係合するコンポーネントに前記引張要素が接触するのを防ぐように十分な厚さでもって少なくとも部分的に被覆するステップを備えることを特徴とする請求項１１に記載の製造方法。
【請求項１３】
前記複数の織物繊維の間に所定の間隔を備え、かつ、前記牽引面が係合するコンポーネントに前記引張要素が接触するのを防ぐように、前記複数の引張要素に亘って十分な被覆表面積を構築する織目を用いることにより、前記引張要素を少なくとも部分的に被覆するステップを備えることを特徴とする請求項１１に記載の製造方法。
【請求項１４】
前記引張要素が第１の材料を備え、前記織物繊維が第２の異なる材料を備えることを特徴とする請求項１１に記載の製造方法。
【請求項１５】
前記引張要素が金属を備え、前記織物繊維が非金属であることを特徴とする請求項１４に記載の製造方法。
【請求項１６】
前記織物繊維が、撚り糸およびのり剤を備えることを特徴とする請求項１１に記載の製造方法。
【請求項１７】
前記織物繊維が、エラストマ材料に含浸された撚り糸を備えることを特徴とする請求項１１に記載の製造方法。
【請求項１８】
前記引張要素が、前記織り込みの前に少なくとも部分的に接着剤コーティングで被覆されることを特徴とする請求項１１に記載の製造方法。
【請求項１９】
前記引張要素が、前記織り込みの前に少なくとも部分的にエラストマ材料で被覆されることを特徴とする請求項１１に記載の製造方法。
【請求項２０】
前記織物繊維が第１の外径寸法を有し、前記引張要素が第２のより大きい外径寸法を有することを特徴とする請求項１１に記載の製造方法。
【発明の詳細な説明】
【技術分野】
【０００１】
丸型ロープやフラットベルトなどの長尺の荷重支持部材には種々の用途が存在する。こうした用途の一つはエレベータシステムの荷重を懸垂することである。
【背景技術】
【０００２】
荷重支持部材はエレベータシステムの駆動すなわち推進に使用される。丸形のスチールロープは長年に亘る業界標準である。最近になり、ジャケット内に実質的に保持された複数の引張部材コードを含むフラットベルトがエレベータシステムで使用されている。こうしたエレベータシステムのベルトに関連する多くの利点があるが、提示される多くの課題も存在する。
【先行技術文献】
【特許文献】
【０００３】
【特許文献１】国際公開第２００５／０９４２５５号
【発明の概要】
【発明が解決しようとする課題】
【０００４】
例えば、一部のエレベータベルトに提示される一つの課題は、ベルトの移動延いてはエレベータかごの移動を生じさせるベルトと駆動綱車との間に所望の割合の牽引力を実現することである。エレベータベルトの表面に特定の牽引特性を実現するための異なるアプローチが提案されている。一つのアプローチが特許文献１に示される。この文献では、ジャケットが、所望の摩擦特性を提供するための粗面を含む。
【０００５】
その他の課題は、ジャケットをベルトに適用するために用いられる技術に関連する。一部のこうした技術により、エレベータ動作中のノイズの原因になると推定される特徴部が生じる。ジャケット層の追加により、コストおよび製造の複雑さが増大する。
【課題を解決するための手段】
【０００６】
一例の長尺のエレベータ荷重支持部材が、その長さに沿って延在する複数の引張要素を含む。引張要素を横切る複数の織物繊維が引張要素とともに織り込まれて、それらの織物繊維が、複数の引張要素の互いに関する所望の間隔および配列を維持する。織物繊維は、引張要素を少なくとも部分的に被覆する。その織物繊維は露出して、荷重支持部材の外側の牽引面を構築する。
【０００７】
一例の長尺の荷重支持部材の製造方法が、その荷重支持部材の長さに沿って延在する複数の引張要素を提供することを含む。複数の織物繊維が引張要素とともに織り込まれ、それにより複数の引張要素の互いに関する所望の間隔および配列を維持する。織物繊維が引張要素を少なくとも部分的に被覆する。その織物繊維は露出して、荷重支持部材の外側の牽引面を構築する。
【０００８】
開示の実施例の様々な特徴および利点が以下の詳細な説明から当業者にとって明らかとなるであろう。詳細な説明に添付の図面を以下のように簡単に説明する。
【図面の簡単な説明】
【０００９】
【図１】一例のエレベータシステムの選択された部分を概略的に示す図。
【図２】引張要素とともに編み組まれた織物繊維を有する一例の荷重支持部材を概略的に示す図。
【図３】２つ以上の方向に織物繊維を含む一例の織物パターンを概略的に示す図。
【図４】織物ベルトに亘って分散された引張要素を含むその他の例を概略的に示す図。
【発明を実施するための形態】
【００１０】
図１は一例の牽引エレベータシステム２０の選択された部分を概略的に示す。図示の例は説明目的のためにすぎない。本発明の理解に不要なエレベータシステム２０の特徴部（例えば、ガイドレール、安全装置など）は図示も説明もしていない。本発明が種々のエレベータシステム構成に用いられ、この図に示される特定の例だけに用いられるのではないことが当業者にとって理解できるであろう。この例は、一つ以上の長尺のエレベータ荷重支持部材３０により１：１のローピング配置でカウンタウェイト２４と一体となったエレベータかご２２を含む。２：１またはそれ以上のその他のローピング配置が可能である。エレベータかご２２およびカウンタウェイト２４の重量が長尺のエレベータ荷重支持部材３０によって懸垂される。
【００１１】
駆動綱車３１Ａにより長尺のエレベータ荷重支持部材３０を所望のように移動させて、昇降路内でのエレベータかご２２の所望の移動および配置を実現する。図示の例のエレベータシステム２０は、図１に示すように長尺のエレベータ荷重支持部材３０と係合するそらせ車３１Ｂを含む。その他の例はまた、かご２２上、カウンタウェイト２４上、またはその両方にある、長尺のエレベータ荷重支持部材３０と係合する一つ以上の遊び車またはダイバータプーリを含む（例えば、オーバスラングまたはアンダースラング式のローピング配置を提供するように）。
【００１２】
図２は一例の長尺のエレベータ荷重支持部材３０を示す。この例は複数の引張要素３２を含む。図から認識できるように、引張要素３２は概ね互いに平行に配置されるとともに、この長尺のエレベータ荷重支持部材３０の長さ寸法を画定する長手方向に延在する。複数の織物繊維３４が引張要素３２とともに織り込まれる。この例では、織物繊維３４および引張要素３２が互いに織物内に織り込まれて、この織物が引張要素３２を互いに関して所望の方向に維持する。換言すれば、織物繊維３４は実質的に引張要素３２を所定の位置に保持する。文言「実質的に保持する」とは、使用時（例えば、長尺のエレベータ荷重支持部材３０が、潜在的に付加的な安全係数を有するエレベータシステム２０の使用時に発生する荷重に曝されたとき）に引張要素３２が織物から引き抜かれず、織物繊維３４に対して実質的に静止した状態となるように、織物繊維３４が引張要素３２と十分に係合することを意味する。この例の織物繊維３４は引張部材３２の長さすなわち長手方向に対して横方向の長さを有する。
【００１３】
この例の荷重支持部材３０は、その少なくとも片側に外側の牽引面３６を含む。牽引面３６は露出した織物繊維３４によって画定される。大半の実施例では、「露出した」織物繊維３４が全長に沿って露出しているのではない。各織物繊維３４の一部が別の織物繊維３４または引張要素３２の下にあるように織物繊維３４が荷重支持部材３０の織物に織り込まれる。
【００１４】
図示の例では、全ての織物繊維３４が外側の牽引面３６に露出している。一部の例では、織物の複数の層または織物繊維３４の配置が、織物繊維３４の少なくとも一部をその他の織物繊維３４によって完全に覆われた状態にする。このような例では、一部の織物繊維のみが露出して外側の牽引面を画定する。
【００１５】
引張要素３２はエレベータ荷重支持部材３０の主な荷重支持構造である。一部の例では、織物繊維３４はエレベータかご２２またはカウンタウェイト２４の重量を支持しない。それでもなお、織物繊維３４は荷重経路の一部を形成する。織物繊維３４は牽引面３６で露出するため、織物繊維３４は、駆動綱車３１とエレベータ荷重支持部材３０との間の牽引力を引張要素３２に直接伝達する。
【００１６】
一部の例の織物繊維３４は、引張要素３２の、牽引面３６が係合するあらゆるコンポーネントに対する接触を防止する。例えば、荷重支持部材３０が駆動綱車３１の周りに少なくとも部分的に巻きつくため、引張要素３２は駆動綱車３１の表面に接触しない。織物繊維３４の寸法、織物繊維３４の材料、織物繊維３４のパターン、またはそれらの組合せが引張要素３２と牽引面３６との間に所望の間隔を保証するように選択されて、引張要素３２が駆動綱車３１などのコンポーネントと直接係合するのを防ぐ。織物繊維３４は一部の例では、牽引面３６と同じ方向に面した引張要素３２の５０％を越える表面領域を保護する。
【００１７】
一例では引張要素３２は第１の材料を備え、織物繊維３４は第２の異なる材料を備える。図示の例では、織物繊維３４は引張要素３２と比較して、はるかに小さい厚さすなわち断面寸法を有する。一例では、引張要素３２は引き抜き鋼（ｄｒａｗｎ  ｓｔｅｅｌ）などの金属であり、織物繊維３４は例えばポリマなどの非金属材料を備える。図２に示す例の引張要素３２は、それぞれ巻き込まれたワイヤを備えた金属コードを備える。
【００１８】
この例の製織処理の結果、織物繊維３４がその各々の長さに沿って様々な位置に配置される一方で、各引張要素３２はその長さに沿って概ね平面となる向きに維持される。織物繊維３４は引張要素３２に比べて軽量であり、この織物繊維３４は製織処理時に引張要素の外面の周りに適合するように操作される。織物繊維３４の各々は引張要素のうちの一つの（図面に基づく）頂部、隣接する引張要素３２の底部、およびその隣の引張要素の頂部に亘って部分的に巻き付けられる。一部の例では、引張要素３２は製織処理中に張力がかけられた状態に維持され、それにより織物繊維３４が織り込まれるその一部の長さに沿って引張要素３２を直線状に保つ。
【００１９】
図示の例では、全ての引張要素３２が互いに概ね平行かつ概ね同一平面上の配列に揃えられる。この織物繊維３４は、エレベータ装置のシーブの周りで荷重支持部材３０が屈曲するのを可能にしながらその所望の配列を維持する。織物繊維３４は、荷重支持部材３０上にあらゆる外部コーティングやジャケットを必要とせずに、引張要素３２の所望の相対的な配向を維持する。
【００２０】
一部の例では、織物繊維３４は牽引面３６を構築するために有効なエラストマ材料を含むまたは備える。一例は、所望の材料の織物繊維３４を構築し、次いでその繊維をエラストマ材料で被覆するまたはエラストマ材料に含浸させることを含む。別の例は、複数のフィラメントから織物繊維３４の各々を形成し、その織物繊維３４の各々の内部に選択されたエラストマ材料で作られたフィラメントを含有させることを含む。一例のエラストマ材料はウレタンを備える。一例では熱可塑性ポリウレタンが用いられる。
【００２１】
一部の例では、織物繊維３４は、周知ののり剤で処理された撚り糸を備える。一部の例のサイジングにより、引張要素３２と織物繊維とを一緒に織り込む能力が強化される。一部の例のサイジングにより、エレベータ装置の使用時の織物繊維のフレッチングまたは摩損を最小限に抑えるなど、織物繊維３４の摩耗特性が強化される。一部の例のサイジングにより、牽引面３６に所望の牽引特性が提供される。
【００２２】
織物繊維３４と引張要素３２とを互いに織り込むように種々の異なる織目が用いられうる。図２は織物繊維３４の一つのこうした例のパターンを示す。この例では、外側の牽引面３６に露出する織物繊維３４は概ね互いに平行に揃えられるとともに引張要素３２の長手方向に対して概ね垂直に揃えられる。
【００２３】
図３は織物繊維３４の互いに関しての相対的な配列を示すように部分的に拡張された別の例の織目を概略的に示す（完成形のアセンブリは図２に示すものと同様に織物繊維３４と引張要素３２とが互いにずっと近い）。この例では、一部の織物繊維３４ａは引張要素３２の長手方向すなわちその長さに対して概ね垂直に配置される。その他の織物繊維３４ｂは、引張要素３２に対して概ね平行かつ織物繊維３４ａに対して概ね垂直に配置される。図２と図３とを比較することによって理解されるように、図３の例の織目は、織物繊維３４ｂが牽引面３６に露出する位置に含まれる場合に、牽引面３６に僅かに異なる特性を有する。別の例では、織物繊維３４ｂは引張要素３２の間の隙間のみに維持されるとともに、牽引面３６の外形すなわち織地に影響を及ぼさないように露出しない。
【００２４】
図３の例の一つの特徴は、引張要素３２の各々がコーティング４０を含むことである。一例では、コーティング４０は引張要素３２の材料の腐食を防ぐための保護コーティングである。別の例では、コーティング４０は、織物繊維３４と引張要素３２の外表面との適切な位置決めすなわちそれらの間の接合を容易にする接着剤を備える。さらに別の例のコーティング４０はエレベータ装置の使用時の引張要素３２の材料を保護するのに有効なエラストマを備える。エラストマコーティング４０は、例えば織物の構築後にそのコーティング４０が加熱される場合に、織物繊維３４を、引張要素３２に対して所定の位置に適切に位置決めすなわち接合するのに役立つ。
【００２５】
図２の例では、各引張要素３２は、単一のコードに撚り合わされたストランド３２Ａを形成する複数のワイヤを備える。その例では、各引張要素３２は、例えば個々の複数の荷重支持ストランド３２Ａすなわち複数のワイヤを備える。図４に示す例では、引張要素３２は織物全体に亘って分散される。この例の引張要素３２は、図２の例に含まれる引張要素などの、撚り合わされたコート内の個々のワイヤまたはストランドと同様の寸法および特性を有する。図４のような例の引張要素３２はより寸法の大きいものでもよい。
【００２６】
図４に示される一例の構成は、引張要素３２として離散した金属ワイヤを含む。こうした一例では、金属ワイヤは織物繊維３４の外径とほぼ等しい外径を有する。別の例では、織物繊維３４は、引張要素３２の織物繊維と比べてより小さい直径を有する。
【００２７】
開示の例により、エレベータ荷重支持部材の基礎としての織物が提供される。それらにより、二次的な材料すなわちジャケット材料を適用する必要なく、複数の引張要素を有するエレベータ荷重支持部材を実現する能力が提供される。二次的なコーティングすなわちジャケットの必要性を排除することにより、一部の製造工程の経済性が高められ、エレベータ装置に使用される際に課題または障害の種として認識されるようになってきたジャケットの特徴が排除される。
【００２８】
開示の例の特徴の一つは、引張要素３２を互いに関して所望の位置に維持するためにジャケットを用いる代わりに織物を用いることにより、ウレタンジャケットに存在する粘弾性の性質に比べて、より優れたダンピング性がもたらされることである。ジャケットの代わりに織物を用いることでより優れたダンピング性を提供することにより、エレベータ装置の運転時のノイズレベルを低減することができる。
【００２９】
上記の記載は本質的に限定的なものではなく例示に過ぎない。本発明の真意を逸脱することなく開示の実施例に対する種々の変形や修正が当業者にとって明らかとなるであろう。本発明に付与される法的保護の範囲は付記の特許請求の範囲を検討することによってのみ決定される。
【図１】
2013542897.tif 000003
【図２】
2013542897.tif 000004
【図３】
2013542897.tif 000005
【図４】
2013542897.tif 000006
【国際調査報告】
2013542897.tif 000007
2013542897.tif 000008